(57)【要約】【課題】大きな揺れに耐えうることができ、耐震性に優れたエキスパンションジョイントを提供する。【解決手段】実施形態のエキスパンションジョイント１Ａは、クリアランススペースを跨るように設けられるパネル２ａと、パネル２ａの垂直方向に沿った断面は略半円形状の脚部を含み、パネル前端部の複数の箇所にパネル支持ボルト２３ａにより締結されてパネル２ａを支持するパネル支持材３ａと、短手方向へのパネル支持材３ａの移動を規制し、かつ、長手方向へのパネル支持材３ａの移動をスライド可能に支持しながらパネル支持材３ａの略半円形状の脚部を上側方向に抜脱しないように揺動自在に載置させる凹形状で、長手方向に沿って躯体９１に設けられるパネル支持受材４ａとを備えている。【選択図】図１
2020197051.tif 000002
【特許請求の範囲】
【請求項１】
免震構造側の躯体と非免震構造側の躯体との間のクリアランススペースの区画に応じて一又は複数のパネルが連設可能に設けられるエキスパンションジョイントであって、
前記クリアランススペースの短手方向に沿って前記クリアランススペースを跨るように設けられる前記一又は複数のパネルと、
前記一又は複数のパネルを支持し、前記パネルの垂直方向に沿った断面は略半円形状の脚部を含み、前記免震構造側の前記一又は複数のパネル前端部の複数の箇所にパネル支持ボルトにより締結されて前記一又は複数のパネルを支持するパネル支持材と、
前記クリアランススペースの前記短手方向への前記パネル支持材の移動を規制し、かつ、前記クリアランススペースの長手方向への前記パネル支持材の移動をスライド可能に支持しながら前記パネル支持材の前記略半円形状の脚部を上側方向に抜脱しないように揺動自在に載置させる凹形状で、前記クリアランススペースの前記長手方向に沿って前記免震構造側の躯体に設けられるパネル支持受材と、を備え、
前記パネル支持受材は、前記凹形状の側面側又は下面側でボルト留めにより躯体係止材に固定されて前記免震構造側の躯体に設置され、
前記パネルは、前記非免震構造側の躯体に設けられる台座に摺動可能に設置され、
前記クリアランススペースの平常時における前記パネルの上面視において、前記パネル前端部の端面側と当該端面側に対向する前記躯体係止材との空隙の間隔には、当該空隙の間隔を埋める隙間埋部材が前記パネル前端部の前記端面側に沿って前記パネルに接合されており、
前記クリアランススペースの変位時において、前記パネルに接合された前記隙間埋部材と対向する前記躯体係止材との間に設けられる傾斜許容空間側に前記パネル前端部が傾斜可能である
ことを特徴とするエキスパンションジョイント。
【請求項２】
前記パネル前端部の前記端面側に接合された前記隙間埋部材の最も高い部分の高さが、前記パネル前端部と対向する前記躯体係止材の上端部の底面側の高さよりも低い位置に設置され、
前記クリアランススペースの変位時において、前記パネル前端部と対向する前記躯体係止材の前記上端部の底面側から前記パネル支持受材の第１片係止部上側に到る前記傾斜許容空間側に前記パネル前端部が傾いた場合には、当該傾斜許容空間に前記パネル前端部の一部および前記隙間埋部材を収容可能で、かつ、前記パネル前端部が前記傾斜許容空間側の前記パネル支持受材の一方の前記第１片係止部上側又は前記傾斜許容空間側から離れた前記パネル支持受材の他方の第２片係止部に係止可能であり、
前記パネル支持材を挟んで前記傾斜許容空間側と反対の空間側に前記パネル前端部が傾いた場合には、前記パネル前端部が前記傾斜許容空間側から離れた前記パネル支持受材の他方の前記第２片係止部上側又は前記傾斜許容空間側の前記パネル支持受材の一方の前記第１片係止部に係止可能である
ことを特徴とする請求項１に記載のエキスパンションジョイント。
【請求項３】
前記隙間埋部材の板厚ΔＷと、前記躯体係止材の前記上端部の板厚Δｈとの関係は、少なくとも、
Δｈ＜ΔＷ
の関係を満たし、かつ、
前記隙間埋部材の板厚ΔＷと、前記パネル前端部の端面側と当該端面側に対向する前記躯体係止材の前記上端部との空隙の間隔ＳＴとの関係は、
ΔＷ≦ＳＴ
の関係を満たす
ことを特徴とする請求項１又は請求項２に記載のエキスパンションジョイント。
【発明の詳細な説明】
【技術分野】
【０００１】
本発明は、免震構造の建造物等のクリアランススペースに設けられるエキスパンションジョイントに関するものである。
【背景技術】
【０００２】
免震構造による建物において、建物全周における免震による最大の変位量が考慮されたクリアランススペースが設けられる。このようなクリアランススペースにおいて、免震構造側と非免震構造側との間のクリアランススペースを跨るためのエキスパンションジョイントが設置される。
【０００３】
なお、目的カバー装置において、カバー体の一端を、建築物の床の側縁に連結手段を介して揺動可能に連結し、該カバー体の他端を自由端として、該自由端にその下面から外端上面に向けて傾斜する傾斜端縁を設けるとともに、該傾斜端縁の上部からカバー体の上面と略面一となるようにして端部カバー板を地盤側に向けて延出させる一方、該地盤の側縁に、水平受縁と、該水平受縁の外端に前記傾斜端縁と同方向に傾斜する傾斜受縁とを備えた摺動受枠体を配設し、該摺動受枠体の水平受縁上に、前記カバー体の自由端を乗載するとともに、前記端部カバー板の外端を地盤上に乗載し、該端部カバー板によってカバー体の傾斜端縁と摺動受枠体の傾斜受縁間に生じる作動空隙の上方を遮蔽するように構成するものが知られている（例えば、特許文献１を参照）。
【先行技術文献】
【特許文献】
【０００４】
【特許文献１】特開平１０−３１７５１６号公報
【特許文献２】特許第６２０９７９３号公報
【発明の概要】
【発明が解決しようとする課題】
【０００５】
図８は、従来例のエキスパンションジョイントの免震構造側の躯体９１に設置されるパネル前端部の説明図である。クリアランススペースの長手方向に沿ってスライド可能なパネル２ｎの躯体９１への設置方法および構造例について説明する（例えば、特許文献２を参照）。
【０００６】
クリアランススペースの長手方向に沿って、パネル支持材３ｎをスライド可能に載置させるパネル支持受材４ｎが躯体９１に設置されている。パネル支持材３ｎに載せた床材２１ｎにおいて、複数のパネルボルト挿通部２２ｎにパネル支持ボルト２３ｎを挿通させて、パネル支持ボルト２３ｎをパネル支持材３ｎに設けられたボルト挿通孔３１ｎに締結させる。パネル支持ボルト２３ｎは、例えば六角穴付き皿ボルトである。
【０００７】
パネル支持受材４ｎの構成として、上側係止支持材４１ｎは、内側Ｌ字鋼材４２ｎと外側Ｌ字鋼材４３ｎとの間により挟持されて、躯体９１に係止された係止材６ｎに載置される。この係止材６ｎに載置された上側係止支持材４１ｎは、内側Ｌ字鋼材４２ｎと外側Ｌ字鋼材４３ｎとが重ねられた状態で、複数の箇所の各々の長孔５１ｎと長孔５２ｎ、係止材６ｎと同じ厚さの座板５３ｎに固定ボルト５ｎが挿通され、固定ボルト５ｎにより躯体９１に固定されている。固定ボルト５ｎは、例えばアンカーボルトおよび当該ボルトを固定するナット等である。
【０００８】
図８（ａ）に示すパネル２ｎを備えるエキスパンションジョイントでは、パネル２ｎのパネル前端部と内側Ｌ字鋼材４２ｎとの空隙間隔ＤＫ（例えば６ｍｍ程度の空隙間隔）に、人の通行時に女性の細いヒールのかかと（例えばピンヒール幅３ｍｍ程度）等が入り込んでしまうことがあった。
【０００９】
一方で、この空隙間隔ＤＫを狭くしようとすると、図８（ａ）に示すようなパネル２ｎのパネル前端部の構造では、図８（ｂ）に示すように、パネル前端部と内側Ｌ字鋼材４２ｎとの間の傾斜可能空間ＤＳが狭くなるため、地震が発生した際のパネル２ｎの最大傾斜角度βが小さくなってしまうという問題があった。
【００１０】
また、パネル２ｎの最大傾斜角度βを大きくするには、図８（ａ）に示すパネル２ｎのパネル前端部と係止材４２ｎとの空隙間隔ＤＫを大きくとることになり、さらにヒールのかかと等が入り込みやすくなってしまうというような問題が生じる。
【００１１】
本発明は、以上のような問題点に鑑みてなされたものであり、大きな揺れに耐えうることができ、耐震性に優れたエキスパンションジョイントを提供するものである。
【課題を解決するための手段】
【００１２】
上記課題を解決するために、本発明に係るエキスパンションジョイントは、免震構造側の躯体と非免震構造側の躯体との間のクリアランススペースの区画に応じて一又は複数のパネルが連設可能に設けられるエキスパンションジョイントである。当該エキスパンションジョイントは、前記クリアランススペースの短手方向に沿って前記クリアランススペースを跨るように設けられる前記一又は複数のパネルと、前記一又は複数のパネルを支持し、前記パネルの垂直方向に沿った断面は略半円形状の脚部を含み、前記免震構造側の前記一又は複数のパネル前端部の複数の箇所にパネル支持ボルトにより締結されて前記一又は複数のパネルを支持するパネル支持材と、前記クリアランススペースの前記短手方向への前記パネル支持材の移動を規制し、かつ、前記クリアランススペースの長手方向への前記パネル支持材の移動をスライド可能に支持しながら前記パネル支持材の前記略半円形状の脚部を上側方向に抜脱しないように揺動自在に載置させる凹形状で、前記クリアランススペースの前記長手方向に沿って前記免震構造側の躯体に設けられるパネル支持受材と、を備えている。前記パネル支持受材は、前記凹形状の側面側又は下面側でボルト留めにより躯体係止材に固定されて前記免震構造側の躯体に設置され、前記パネルは、前記非免震構造側の躯体に設けられる台座に摺動可能に設置され、前記クリアランススペースの平常時における前記パネルの上面視において、前記パネル前端部の端面側と当該端面側に対向する前記躯体係止材との空隙の間隔には、当該空隙の間隔を埋める隙間埋部材が前記パネル前端部の前記端面側に沿って前記パネルに接合されており、前記クリアランススペースの変位時において、前記パネルに接合された前記隙間埋部材と対向する前記躯体係止材との間に設けられる傾斜許容空間側に前記パネル前端部が傾斜可能であることを特徴とする。
【発明の効果】
【００１３】
本発明に係るエキスパンションジョイントによれば、大きな揺れに耐えうることができ、耐震性に優れる。
【図面の簡単な説明】
【００１４】
【図１】本発明に係るエキスパンションジョイントの実施形態の構成例を示す平面図およびＩ−Ｉ矢視線の断面図である。
【図２】図１（ａ）に示すＩ−Ｉ矢視線のパネル前端部付近の断面図と、ＩＩ−ＩＩ矢視線のパネル前端部付近の側面図である。
【図３】図１（ａ）に示すエキスパンションジョイントの敷設の一例を示す斜視図である。
【図４】図２（ｂ）に示すパネル前端部の傾き動作状態の例を示す側面図である。
【図５】実施形態のエキスパンションジョイントにおけるクリアランススペース変位時の動作例を示す断面図である。
【図６】図１（ａ）に示す他の実施形態のエキスパンションジョイントの敷設の他の例を示す斜視図である。
【図７】図６に示す他の実施形態のエキスパンションジョイントの複数のパネルの振動動作の例を示す斜視図である。
【図８】従来例のエキスパンションジョイントのパネル前端部の傾き動作の説明図である。
【発明を実施するための形態】
【００１５】
以下、本発明に係る実施形態のエキスパンションジョイントについて、図面を参照して具体的に説明する。ここで、互いに同一または類似の部分には共通の符号を付して、重複説明は省略する。ここで説明する下記の実施形態はいずれも、免震構造の建物周囲に設けられるエキスパンションジョイントの場合の一例をとりあげて説明する。
【００１６】
［実施形態］
以下、本発明に係るエキスパンションジョイントの実施形態の構成について、図１乃至図７を用いて説明する。ここで、図１は、本発明に係るエキスパンションジョイント１Ａ及び１Ａ１の実施形態の構成例を示す平面図およびＩ−Ｉ矢視線の断面図である。また、図２は、図１（ａ）に示すＩ−Ｉ矢視線のパネル前端部付近の断面図と、ＩＩ−ＩＩ矢視線のパネル前端部付近の側面図である。その他の図については、以降において、適宜説明する。
【００１７】
例えば、図１（ｂ）に示すように、免震構造の建物全周（免震構造側）に対して、設計考慮された規模の地震発生の場合における免震による最大の変位量を考慮した平常時のクリアランススペースＣＳ＃１が確保される。また、後述するような、図５（ａ）に示すクリアランススペースＣＳ＃２（ＣＳ＃１に比べてスペース間が狭くなった場合の変位）、図５（ｂ）に示すＣＳ＃３（ＣＳ＃１に比べてスペース間が拡がった場合の変位）等の変形にも追従するように、土台構造の免震構造側の躯体９１と非免震構造側の躯体９２との間、免震構造側の建物への人または車両の出入口部を含む全周にわたってクリアランススペースＣＳ＃１を跨ぐエキスパンションジョイント１Ａ、１Ａ１等が設けられる。
【００１８】
図１（ａ）に示すエキスパンションジョイント１Ａ及び１Ａ１は、コーナ部側の区画等を除く主な区画に敷設される一のパネル２ａ及び複数のパネル２ａａを含む構成の一例である。なお、図１等において、相対的な方向性を示すために、クリアランススペースＣＳ＃１の長手方向をＸ方向とし、同じく短手方向をＹ方向として、また、地面に対する垂直方向をＺ方向として示している。また、区画とは、変位のない状態のクリアランススペースＣＳ＃１を基準としたエキスパンションジョイント１Ａ及び１Ａ１において、敷設されるパネルの配置・並び等を示すものとする。
【００１９】
図１等に示すエキスパンションジョイント１Ａ及び１Ａ１は、例えば以下のようなパネル２ａ、２ａａを含む構成である。なお、本実施形態の例では、以下の一のパネル２ａ及び複数のパネル２ａａ等を含む構成例で説明する。
【００２０】
（１）第１パネル（一のパネル２ａ）
第１パネルは、例えばクリアランススペースＣＳ＃１に敷設される区画の図１（ａ）に示すエキスパンションジョイント１Ａを構成する一のパネル２ａであり、この第１パネルと共にエキスパンションジョイント１Ａを構成するパネル支持材３ａ、パネル支持受材４ａ等により他の区画にスライド可能にさせる。
【００２１】
（２）第２パネル（複数のパネル２ａａ）
第２パネルは、例えばクリアランススペースＣＳ＃１に敷設される区画の図１（ａ）に示すエキスパンションジョイント１Ａ１を構成する複数のパネル２ａａであり、この第２パネルと共にエキスパンションジョイント１Ａ１を構成する連設支持可能なパネル支持材３ａａ、パネル支持受材４ａａ等により他の区画にスライド可能にさせる。
【００２２】
以降では、実施形態のエキスパンションジョイント１Ａ及び１Ａ１における第１パネル及び第２パネルの構造例および機能等について説明する。
【００２３】
実施形態のエキスパンションジョイント１Ａ及び１Ａ１には、図１（ａ）に示すように、免震構造側の躯体９１と非免震構造側の躯体９２との間のクリアランススペースＣＳ＃１に、一のパネル２ａ及び複数のパネル２ａａ等が連設して設けられる。
【００２４】
エキスパンションジョイント１Ａ及び１Ａ１には、例えば図１（ｂ）等に示すように、平常時のクリアランススペースＣＳ＃１の短手方向（Ｙ方向）に沿ってクリアランススペースＣＳ＃１を跨るように、パネル２ａ、２ａａ等が設けられる。パネル２ａ、パネル２ａａは、以下のような構成である。
【００２５】
以降では、主に図１乃至図４に示す一のパネル２ａの構造について説明する。ここで、図２（ａ）は、図１（ａ）に示すＩ−Ｉ矢視線のパネル２ａのパネル前端部付近の断面図であり、図２（ｂ）は同じくＩＩ−ＩＩ矢視線のパネル２ａのパネル前端部付近の側面図である。図３は、図１（ａ）に示すエキスパンションジョイント１Ａの敷設例を示す斜視図である。図４は、図２（ｂ）に示すパネル前端部の傾き動作状態の例を示す側面図である。
【００２６】
＜第１パネルについて＞
はじめに、エキスパンションジョイント１Ａの構成について説明する。
エキスパンションジョイント１Ａには、免震構造側の躯体９１と非免震構造側の躯体９２との間のクリアランススペースＣＳ＃１の区画に応じて、一のパネル２ａがクリアランススペースＣＳ＃１の長手方向（Ｘ方向）に沿って他の区画にスライド可能なように連通可能に設けられる。
【００２７】
一のパネル２ａは、図１（ｂ）等に示すように、クリアランススペースＣＳ＃１の短手方向（Ｙ方向）に沿って、パネル前端部側を免震構造側の躯体９１へ向けて、かつ、パネル後端部側を非免振構造側の躯体９２へ向けてクリアランススペースＣＳ＃１を跨るように設けられる。
【００２８】
パネル支持材３ａは、例えば図３に示すように、クリアランススペースＣＳ＃１の長手方向に沿って躯体９１に敷設可能な棒状に伸びた部材に形成され、一のパネル２ａのパネル前端部側を支持する。例えば、パネル支持材３ａの脚部において、図２（ａ）等に示すように、パネル２ａの垂直方向に沿った断面は略半円形状を含む構造である。
【００２９】
パネル支持材３ａは、図３に示すように、免震構造側の一のパネル２ａのパネル前端部における複数の箇所にパネル支持ボルト２３ａがボルト挿通孔３１ａへ締結され、一のパネル２ａを支持する。
【００３０】
パネル支持受材４ａは、クリアランススペースＣＳ＃１の短手方向（Ｙ方向）へのパネル支持材３ａ及び３ａａの移動を規制し、かつ、クリアランススペースＣＳ＃１の長手方向（Ｘ方向）へのパネル支持材３ａ及び３ａａの移動をスライド可能に支持しながらパネル支持材３ａ及び３ａａの略半円形状の脚部を上側方向に抜脱しないように揺動自在に載置させる。
【００３１】
パネル支持受材４ａは、パネル支持材３ａ及び３ａａの略半円形状の脚部を嵌合するために、クリアランススペースＣＳ＃１の長手方向に沿って凹形状（図２に示す凹部４１ａ）が形成される長手部材である。例えば、パネル支持受材４ａの凹形状は、パネル支持材３ａ及び３ａａの脚部の断面における略半円形状（Ｒ曲面）に対する支持面がＲ曲面（図２に示す凹部４１ａに対応）を形成している。
【００３２】
パネル支持受材４ａは、図２（ａ）等に示すように、長手部材の長手方向に沿った側面側で複数の係止材固定ボルト６４ａによるボルト留めにより係止材６ａに固定されて、クリアランススペースＣＳ＃１の長手方向に沿って免震構造側の躯体９１に設置される。
【００３３】
床材２１ａは、略長方形状に加工される鋼板などの部材を用いたフレーム板である。また、床材２１ａを、床上面側で開閉可能な構造とし、さらに、パネル２ａ内に中材シートを収納可能な構造としてもよい。例えば、中材シートとして、撥水性シート、耐火性シート、不燃性シートなどを収納してもよい。なお、図２（ｂ）に示すパネル２ａの側面側の板材部分を、パネル側面部２４ａとする。
【００３４】
各々のパネル２ａ及び２ａａには、仕上材２０ａ等が施される。仕上材２０ａは、床材２１ａ等を覆う床仕上げ材である。床仕上げ材は、例えば歩行・通行可能に適した材料のタイル、石材、金属材料等が用いられる。
【００３５】
（躯体９１への設置方法について）
係止材６ａは、パネル支持受材４ａ及び４ａａを免震構造側の躯体９１へ固定するための組合せ部材からなる。例えば、係止材６ａは、図２（ａ）及び（ｂ）等に示すように、躯体係止材６１ａ、中間係止材６２ａ、躯体固定材６３ａ、係止材固定ボルト６４ａおよび係止材固定ナット６５ａを含む構成である。
【００３６】
パネル支持受材４ａは、図２（ａ）等に示すように、躯体係止材６１ａに載置されて、躯体係止材６１ａと躯体固定材６３ａとの間に中間係止材６２ａを介在させ、躯体係止材６１ａに設けられた貫通孔６１０ａ、中間係止材６２ａに設けられた貫通孔６２０ａおよび躯体固定材６３ａに設けられた貫通孔６３０ａに係止材固定ボルト６４ａを貫通させて係止材固定ナット６５ａに螺合されて、躯体係止材６１ａに係止される。
【００３７】
躯体係止材６１ａにおける部材の長手方向に沿った断面は、略Ｌ字形状である。免震構造側の躯体９１に設置された躯体係止材６１ａでは、図２（ａ）及び（ｂ）に示すように、略Ｌ字形状の上端部６１１ａと、敷設された平常時のパネル２ａの上面とが水平を保つ。
【００３８】
中間係止材６２ａにおける部材の長手方向に沿った断面は、略Ｌ字形状である。中間係止材６２ａは、免震構造側の躯体９１と躯体係止材６１ａとの間に介在し、かつ、躯体係止材６１ａと躯体固定材６３ａとの間に介在する部材である。
【００３９】
躯体固定材６３ａにおける部材の長手方向に沿った断面は、略Ｌ字形状である。躯体固定材６３ａは、相対的には中間係止材６２ａのＬ字形状の配置と逆Ｌ字形状の配置で免震構造側の躯体９１に設置される。
【００４０】
躯体固定材６３ａのボルト挿通孔５１ａに固定ボルト５ａが挿通され、固定ボルト５ａにより躯体固定材６３ａが躯体９１に固定される。固定ボルト５ａは、例えばアンカーボルトおよび当該ボルトを固定するナット等である。これにより、パネル支持受材４ａを係止材６ａにより躯体９１に固定することができる。
【００４１】
以上のような躯体９１への係止材６ａを設置後、例えば、躯体固定材６３ａ、固定ボルト５ａ等の周辺区間には、無収縮モルタル１０２が充填されて覆われる。
【００４２】
以上のような躯体９１へのパネル２ａの設置後、例えば、躯体固定材６３ａ、固定ボルト５ａの上部のパネル２ａの周辺区間には、パネル周辺モルタル９３が充填されて覆われる。このパネル周辺モルタル９３と中間係止材６２ａ等との間には、補強材として、例えばシール材１０１を用いてもよい。
【００４３】
クリアランススペースＣＳ＃１の平常時におけるパネル２ａの上面視において、パネル前端部の端面側と当該端面側に対向する躯体係止材６１ａの上端部６１１ａとの空隙の間隔ＳＴには、当該空隙の間隔ＳＴを埋める隙間埋部材２９ａがパネル前端部の端面側に沿ってパネル２ａに接合されている。ここで、隙間埋部材２９ａの板厚を、図２（ｂ）に示すΔＷとする。
【００４４】
パネル前端部の端面側に接合された隙間埋部材２９ａの最も高い部分の高さが、パネル前端部と対向する躯体係止材６１ａの上端部６１１ａの底面側の高さよりも低い位置に設置される。ここで、上端部６１１ａの板厚を、図２（ｂ）に示すΔｈとする。
【００４５】
図４（ｂ）に示すように、クリアランススペースＣＳ＃１の変位時において、パネル２ａに接合された隙間埋部材２９ａと対向する躯体係止材６１ａとの間に設けられる傾斜許容空間ＳＰ側にパネル前端部が傾斜した場合にも、パネル２ａに接合された隙間埋部材２９ａと対向する躯体係止材６１ａとの間に設けられる傾斜許容空間ＳＰ側にパネル前端部が傾斜可能である。
【００４６】
すなわち、パネル前端部と対向する躯体係止材６１ａの上端部６１１ａの底面側からパネル支持受材４ａの第１片係止部４２ａ上側に到る傾斜許容空間ＳＰ側にパネル前端部が傾いた場合には、当該傾斜許容空間ＳＰにパネル前端部の一部および隙間埋部材２９ａを収容可能な構造である。その場合に、さらに、パネル前端部が傾斜許容空間ＳＰ側のパネル支持受材４ａの一方の第１片係止部４２ａ上側、又は、傾斜許容空間ＳＰ側から離れたパネル支持受材４ａの他方の第２片係止部４３ａに係止可能な構造である。
【００４７】
ここで、パネル前端部が傾斜許容空間ＳＰ側に傾く場合に、パネル前端部と対向する躯体係止材６１ａの上端部６１１ａに、パネル前端部の上端部分が衝突しないようにするためには、すなわち、図４（ｂ）に示すような傾斜を可能とするためには、図２（ｂ）に示した隙間埋部材２９ａの板厚ΔＷと、躯体係止材６１ａの上端部６１１ａの板厚Δｈとの関係は、少なくとも以下のような関係である。
Δｈ＜ΔＷ
【００４８】
また、隙間埋部材２９ａの板厚ΔＷと、パネル前端部の端面側と当該端面側に対向する躯体係止材６１ａの上端部６１１ａとの空隙の間隔ＳＴとの関係は、
ΔＷ≦ＳＴ
の関係を満たす。
【００４９】
例えば、図２（ｂ）に示す躯体係止材６１ａにＳＵＳ３０４（ＳＵＳは、Ｓｔｅｅｌ  Ｕｓｅ  Ｓｔａｉｎｌｅｓｓ：ステンレンス材質記号）で板厚Δｈ＝３（ｍｍ）鋼材を用いて、一方の端部側を上端部６１１ａとして、両端部側の折曲げ長を１５（ｍｍ）とする。また、例えば図２（ｂ）に示す凹部４１ａの支持面におけるＲ曲面の曲率半径＝２０ｍｍ、パネル２ａのＺ方向のパネル厚さ＝２２（ｍｍ）、空隙の間隔ＳＴ＝６（ｍｍ）とした場合に、隙間埋部材２９ａにＳＵＳ３０４を用いて、隙間埋部材２９ａのＺ方向の高さ＝１８（ｍｍ）として、隙間埋部材２９ａの板厚ΔＷ＝４〜６（ｍｍ）程度にする。
【００５０】
なお、例えば、図２（ｂ）に示すパネル２ａのＺ方向のパネル厚さ＝２２（ｍｍ）に対する、傾斜許容空間ＳＰのＺ方向の高さΔｄｈ＝２８（ｍｍ）程度とし、傾斜許容空間ＳＰのＹ方向の幅Δｄｗとする。このとき、傾斜許容空間ＳＰのＹ方向の幅Δｄｗは、躯体係止材６１ａの折曲げ長１５（ｍｍ）から躯体係止材６１ａの板厚Δｈ＝３（ｍｍ）を引いた長さ１２（ｍｍ）＝Δｄｗに相当する。
【００５１】
以上のような図２（ｂ）等に示すパネル２ａを備えるエキスパンションジョイント１Ａでは、パネル２ａのパネル前端部と対向する躯体係止材６１ａの上端部６１１ａとの空隙の間隔ＳＴにおいて、隙間埋部材２９ａの板厚ΔＷで傾斜許容空間ＳＰへの進入経路がほぼ塞がれるため、例えば平常時に通行する女性の細いヒールのかかと（例えばピンヒール幅３ｍｍ程度）等が、傾斜許容空間ＳＰに入り込むことを防ぐことができる。一方、パネル２ａの最大傾斜角度αについては、図４（ａ）及び（ｂ）に示すように、傾斜許容空間ＳＰを十分に確保することができる。
【００５２】
例えば、図４（ｂ）に示すようなパネル２ａのパネル前端部において、地震が発生した際のクリアランススペースＣＳ＃１の変位時において、パネル２ａの最大傾斜角度αとする。クリアランススペースなどを一定の設計条件に仮定した場合に、例えば、図８に示す従来例のエキスパンションジョイントのパネル２ｎでは最大傾斜角度βは９〜１０°程度である。
【００５３】
一方、本実施形態のエキスパンションジョイント１Ａでは、図４（ｂ）に示すパネル２ａの最大傾斜角度αは、例えば１７〜１８°程度にすることができる。すなわち、図４（ａ）及び（ｂ）に示すように、パネル支持材３ａの揺動範囲を大きく拡げることができる。これにより、より大きな揺れに耐えうることができ、耐震性に優れたエキスパンションジョイント１Ａを提供することができる。
【００５４】
また、図４（ａ）に示すように、パネル支持材３ａを挟んで傾斜許容空間ＳＰ側と反対の空間側にパネル前端部が傾いた場合には、パネル前端部が傾斜許容空間ＳＰ側から離れたパネル支持受材４ａの他方の第２片係止部４３ａ上側、又は、傾斜許容空間ＳＰ側のパネル支持受材４ａの一方の第１片係止部４２ａに係止可能である。
【００５５】
以上のようなパネル支持受材４ａは、例えばアルミニウムの押し出し成型等により製作される。クリアランススペースＣＳ＃１の長手方向に沿って長状になり、かつ、短手方向の断面が凹形状となるように、凹形状の上側の枠型と、凹形状の下側の枠型に側面側又は下面側でボルト孔４４ａを形成させる型枠を製作し、アルミニウムの押し出し成型により、パネル支持受材４ａを製作することができる。
【００５６】
以上説明したように、図４等に示すエキスパンションジョイント１Ａの躯体９１への設置方法において、パネル前端部が傾いた場合には、当該傾斜許容空間ＳＰにパネル前端部の一部および隙間埋部材２９ａを収容可能な構造である。さらに、以上のような傾斜許容空間ＳＰを確保しつつ、かつ、パネル前端部の端面側と当該端面側に対向する躯体係止材６１ａの上端部６１１ａとの空隙の間隔ＳＴにおいて、傾斜許容空間ＳＰへの進入経路をほぼ塞ぐことができる。
【００５７】
（躯体９２への設置方法について）
一のパネル２ａ又は複数のパネル２ａａのパネル後端部側は、図１（ｂ）、後述する図５（ａ）及び図５（ｂ）等に示すように、非免震構造側の躯体９２に設けられる台座８ａに摺動可能に設置される。
【００５８】
台座８ａの下方側には、台座下部モルタル９５を充填する前に、非免震構造側の躯体９２にアンカーボルト８４が複数個所に設けられる。その施工後、その台座８ａの下方側に、例えば無収縮モルタル等である台座下部モルタル９５が充填される。充填される台座下部モルタル９５内には、タップ固定金具８３が据え付けられる。
【００５９】
充填後の台座下部モルタル９５上に、台座８ａが敷設され、その台座８ａが複数個所のタップ固定金具８３を介して、セルフタップにより固定される。また、パネル２ａ、パネル２ａａ等の周辺には、パネル周辺モルタル９４が施工される。
【００６０】
一のパネル２ａ又は複数のパネル２ａａは、非免震構造側の端部（パネル後端部）方向に屈曲可能な傾斜構造部７ａを有する。傾斜構造部７ａは、例えばパネル後端部側に、Ｘ方向に沿って蝶番を介した構造で設けられる。傾斜構造部７ａは、変位なし状態の平常時のクリアランススペースＣＳ＃１において、台座８ａの傾斜係止部８１に係止される。
【００６１】
傾斜係止部８１は、平常時のクリアランススペースＣＳ＃１の状態においては、傾斜構造部７ａの蝶番の付勢力を抗して、傾斜構造部７ａの平板部分を床材２１ａと水平面上に保持させるように係止する。なお、後述する図５（ａ）及び（ｂ）に示すように、クリアランススペースＣＳ＃２又は＃３の変位状態においては、傾斜構造部７ａの相対的な移動等により、傾斜構造部７ａが傾斜係止部８１の係止から解除される。
【００６２】
次に、図５（ａ）及び（ｂ）に示すエキスパンションジョイント１Ａにおけるクリアランススペース変位時の動作例について説明する。
【００６３】
例えば、地震発生の際のクリアランススペースＣＳ＃１の変位時において、図５（ａ）に示すクリアランススペースＣＳ＃２は、図２（ｂ）に示す平常時のクリアランススペースＣＳ＃１に比べてスペース間が狭くなった場合の変位の状態を示すＩ−Ｉ矢視線の断面図である。また、図５（ｂ）に示すクリアランススペースＣＳ＃３は、図２（ｂ）に示す平常時のクリアランススペースＣＳ＃１に比べてスペース間が拡がった場合の変位の状態を示すＩ−Ｉ矢視線の断面図である。
【００６４】
本実施形態のエキスパンションジョイント１Ａでは、クリアランススペースＣＳ＃１の変位に追従して、例えば図５（ａ）に示すクリアランススペースＣＳ＃２の例では、パネル２ａ等が台座８ａにおける型スペース（傾斜係止部８１に係止された状態）からせり上がり、パネル２ａ等の片方の端部（パネル後端部）側がパネル周辺モルタル９４に載置する。
【００６５】
また、エキスパンションジョイント１Ａでは、クリアランススペースＣＳ＃１の変位に追従して、例えば図５（ｂ）に示すクリアランススペースＣＳ＃３の例では、パネル２ａ等が台座８ａにおける型スペース（傾斜係止部８１に係止された状態）からクリアランススペースＣＳ＃３側に引き寄せられて、パネル２ａの後端部側が台座下部モルタル９５上の台座８ａに載置する。
【００６６】
傾斜係止部８１は、図１（ｂ）に示すような平常時のクリアランススペースＣＳ＃１の状態においては、傾斜構造部７ａの蝶番の付勢力を抗して、傾斜構造部７ａの平板部分を床材２１ａと水平面上に保持させるように係止する。一方、地震発生時のクリアランススペースＣＳ＃２又は＃３の状態においては、傾斜構造部７ａの相対的な移動等により、傾斜構造部７ａが傾斜係止部８１の係止から解除される。これにより、傾斜構造部７ａの蝶番の付勢力により平板部分が接地面側に屈曲されると共に、パネル２ａは非免震構造側の躯体９２に設けられる台座８ａに摺動可能となる。
【００６７】
以上のような構造により、傾斜構造部７ａが台座８ａの傾斜係止部８１に係止されている場合には、図２（ｂ）に示すように、パネル２ａの上面とクリアランススペースＣＳ＃１の長手方向に沿った平板部分の面とが平に揃う。一方、傾斜構造部７ａが傾斜係止部８１に係止されない場合には、傾斜構造部７ａは、図５（ａ）又は図５（ｂ）に示すように、クリアランススペースＣＳ＃２又はＣＳ＃３の長手方向に沿った平板部分が蝶番により屈曲されて、例えば台座８ａに当該平板部分が傾斜して接する。
【００６８】
これにより、パネル２ａの片方の端部（パネル後端部）側において、例えば図５（ａ）及び（ｂ）に示すように、傾斜係止部８１の係止から解除された傾斜構造部７ａが接地傾斜できるため、車椅子、担架、台車等でパネル２ａに乗り上げてエキスパンションジョイント１Ａを通過する際に、これらの車輪の移動操作が容易となる。
【００６９】
＜第２パネルについて＞
次に、図１（ａ）に示すエキスパンションジョイント１Ａ１の構造の一例について、図６及び図７を参照しながら説明する。ここで、図６に、図１（ａ）に示すエキスパンションジョイント１Ａ１の敷設例を示す。図７では、免震構造側の躯体９１に複数のパネル２ａａを設置する場合の施工方法の概要を示すものである。
【００７０】
エキスパンションジョイント１Ａ１には、図６に示すように、免震構造側の躯体９１と非免震構造側の躯体９２との間のクリアランススペースＣＳの区画に応じて、複数のパネル２ａａがクリアランススペースＣＳの長手方向（Ｘ方向）に沿ってスライド可能なように連設して設けられる。
【００７１】
複数のパネル２ａａは、図６等に示すように、クリアランススペースＣＳの短手方向（Ｙ方向）に沿って、クリアランススペースＣＳを跨るように設けられる。
【００７２】
パネル支持材３ａａは、例えば図６に示すように、クリアランススペースＣＳの長手方向に沿って躯体９１に敷設可能な棒状に伸びた部材に形成され、複数のパネル２ａａのパネル前端部側を支持する。例えば、パネル支持材３ａａは、図１（ｂ）等に示すパネル支持材３ａの構造と同様に、パネル２ａａの垂直方向に沿った断面は略半円形状の脚部を含む構造である。
【００７３】
パネル支持材３ａａは、図６に示すように、免震構造側の複数のパネル２ａａのパネル前端部における複数の箇所にパネル支持ボルト２３ａがボルト挿通孔３１ａへ締結されて、複数のパネル２ａａを連設させて支持する。
【００７４】
パネル支持受材４ａａは、クリアランススペースＣＳの長手方向（Ｘ方向）に沿って、免震構造側の躯体９１に設けられる。パネル支持受材４ａａは、クリアランススペースＣＳの短手方向（Ｙ方向）へのパネル支持材３ａａ及び３ａの移動を規制し、かつ、クリアランススペースＣＳの長手方向（Ｘ方向）へのパネル支持材３ａａ及び３ａの移動をスライド可能に支持しながらパネル支持材３ａａ及び３ａの略半円形状の脚部を上側方向に抜脱しないように揺動自在に載置させる。
【００７５】
パネル支持受材４ａａは、パネル支持材３ａａ及び３ａの略半円形状の脚部を嵌合するために、クリアランススペースＣＳの長手方向に沿って凹形状（図２に示す凹部４１ａ）が形成される長手部材である。例えば、パネル支持受材４ａａの凹形状は、パネル支持材３ａａ及び３ａの脚部の断面における略半円形状（Ｒ曲面）に対する支持面がＲ曲面（図２に示す凹部４１ａに対応）を形成している。パネル支持受材４ａａは、凹形状の側面側で係止材固定ボルト６４ａによるボルト留めにより係止材６ａに固定され、クリアランススペースＣＳの長手方向に沿って免震構造側の躯体９１に設置される。
【００７６】
第２パネル（複数のパネル２ａａ）において、パネル支持材３ａａにより複数のパネル２ａａを連設支持可能である。また、そのパネル支持材３ａａは、クリアランススペースＣＳの長手方向（Ｘ方向）に連設されるパネル支持受材４ａａでスライド可能に、連通される。
【００７７】
さらに、例えば第２パネルの区画と第１パネルが隣接する区画においては、第２パネルの区画のパネル支持材３ａａは、クリアランススペースＣＳの長手方向に沿って第１パネルのパネル支持受材４ａの区画にもスライド可能である。これにより、連設可能に敷設された場合に、第１パネル及び第２パネルは、クリアランススペースＣＳの長手方向に、相互にスライド可能となる。
【００７８】
免震構造側の躯体９１と非免震構造側の躯体９２との間のクリアランススペースＣＳに複数のパネル２ａａが連設して設けられる。例えば、エキスパンションジョイント１Ａ１には、図６に示すように、クリアランススペースＣＳの短手方向（Ｙ方向とする）に沿ってクリアランススペースＣＳを跨るように、複数のパネル２ａａ等が以下に説明するように連設されて設置される。なお、図６では、複数のパネル２ａａとして３つのパネル２ａａを連設して敷設する場合の一例を示すものである。
【００７９】
図６に示すように、躯体９１のＸ方向に沿ってパネル２ａａの３つ分の幅に相当する長さのパネル支持材３ａａが、少なくとも同じ長さのパネル支持受材４ａａに挿通された後に、複数のパネル２ａａをパネル支持材３ａａに載せる。パネル支持材３ａａに載せた複数のパネル２ａａにおいて、複数のパネルボルト挿通部２２ａにパネル支持ボルト２３ａを挿通させて、パネル支持ボルト２３ａをパネル支持材３ａａに設けられたボルト挿通孔３１ａに締結させる。パネル支持ボルト２３ａは、例えば六角穴付き皿ボルトである。
【００８０】
さらに、免震構造側の躯体９１に応じて設けられる係止材６ａにパネル支持受材４ａａが載置されて固定される。具体的には、パネル支持受材４ａａは、図２（ａ）に示すパネル支持受材４ａの構造と同様に、係止材６ａに載置されてパネル支持受材４ａａに設けられた複数のボルト孔４４ａに、係止材固定ボルト６４ａを貫通させて係止材固定ナット６５ａに螺合されて係止材６ａに係止され、固定される。
【００８１】
係止材６ａの固定方法として、躯体固定材６３ａに固定ボルト５ａが挿通され、固定ボルト５ａにより躯体９１に固定される。固定ボルト５ａは、例えばアンカーボルトおよび当該ボルトを固定するナット等である。以上のように、パネル支持受材４ａａは免震構造側の躯体９１に固定される。これにより、図６に示すように、複数のパネル２ａａは、免震構造側の躯体９１に連設して敷設することができる。
【００８２】
一方、複数のパネル２ａａのパネル後端部側は、非免震構造側の躯体９２に設けられる台座８ａに摺動可能に設置される。
【００８３】
次に、図７等を参照しながら、複数のパネル２ａａのパネル間の連結構造により、躯体間に生じる相対的な３次元の変位に対して追従性、および、パネル間の連結構造によりパネルでの大きな振幅を抑える又は緩和する機能等について説明する。ここで、図７は、図１（ａ）に示すエキスパンションジョイント１Ａ１の複数のパネル２ａａの振動動作の例を示す斜視図である。
【００８４】
地震により、主に非免震構造側に揺れが生じるため、例えば図７に示すようなＸ方向の振動ＷＶｘ、Ｙ方向の振動ＷＶｙ、Ｚ方向の振動ＷＶｚ１、振動ＷＶｚ２、振動ＷＶｚ３が生じる。これらの振動により、クリアランススペースＣＳに３次元的な変位が発生する。
【００８５】
図７に示すように、非免震構造側の躯体９２のＸ方向の振動ＷＶｘによって、連設された複数のパネル２ａａがＸ方向に変位した場合、その変位に応じて、パネル支持材３ａａが載置されているパネル支持受材４ａａ上を揺動又はスライド可能である。
【００８６】
また、図７に示すように、非免震構造側の躯体９２のＹ方向の振動ＷＶｙによって、連設された複数のパネル２ａａがＹ方向に変位した場合、その変位に応じて、パネル２ａａは非免震構造側の台座８ａ上を、図５（ａ）又は図５（ｂ）に示すパネル２ａの動作と同様に、摺動可能である。
【００８７】
また、図７に示すように、非免震構造側の躯体９２のＺ方向の振動ＷＶｚ１等によって、複数のパネル２ａａがＺ方向に変位した場合、例えば一つのパネル２ａａが振動ＷＶｚ１、他のパネル２ａａが振動ＷＶｚ２、さらに他の振動ＷＶｚ３と振動した場合、免震構造側の躯体９１では、複数のパネル２ａａは共通のパネル支持材３ａａに連設支持されているため、このようなＺ方向の振動に対しては、エキスパンションジョイント１Ａ１全体としては振動を重ね合わせて、緩和することが可能である。
【００８８】
パネル支持材３ａａは、図４（ａ）及び（ｂ）に示すパネル支持材３ａの動作と同様に、Ｙ方向およびＺ方向に摺動可能又は揺動可能であり、かつ、過渡の変位に対してはパネル支持受材４ａａの上側係止構造によりパネル支持材３ａａの揺動や抜脱等が規制される。また、パネル支持材３ａａの脚部の断面が略半円形状（Ｒ曲面）を形成し、パネル支持受材４ａａにおけるパネル支持材３ａａの脚部の支持面がＲ曲面（図２に示す凹部４１ａに対応）をなしているため、当該振動を無理なく減衰させることができる。
【００８９】
図７に示すような振動・変位等によって、免震構造側の躯体９１と非免震構造側の躯体９２に跨り、免震構造側の躯体９１で主に支持される複数のパネル２ａａ等には、震度の大きさによっては非常に大きな力が作用する恐れがあるものの、上記構造により複数のパネル２ａａにはパネル等に作用する力を緩和させたり、パネルを破損するような事態を回避させたりすることができる。
【００９０】
なお、図６及び図７等の例では、３つのパネル２ａａを連設した場合の一例を示したが、設置サイズにおいて複数のパネル２ａａのＸ方向の長さによっては、一つのパネル２ａでも、所定の長さで区切られた複数のパネル２ａａと等価的な大きさのパネルであってもよく、設置する区画位置等に応じて、一又は複数のパネル数を定めてもよい。
【００９１】
以上説明したように、本実施形態のエキスパンションジョイント１Ａ及び１Ａ１によれば、パネル２ａ及び２ａａにおけるパネル前端部での最大傾斜角度を大きくとることができる。
【００９２】
さらに、本実施形態のエキスパンションジョイント１Ａ及び１Ａ１によれば、パネル支持材３ａ及び３ａａがＹ方向およびＺ方向に摺動可能又は揺動可能であり、かつ、過渡の変位に対してはパネル支持受材４ａ及び４ａａの係止構造によりパネル支持材３ａ及び３ａａの揺動や抜脱等を規制することができる。また、パネル支持材３ａ及び３ａａの脚部の断面が略半円形状（Ｒ曲面）を形成し、パネル支持受材４ａ及び４ａａにおけるパネル支持材３ａ及び３ａａの脚部の支持面がＲ曲面をなしているため、当該振動を無理なく減衰させることができる。
【００９３】
以上説明したように、本発明に係るエキスパンションジョイントによれば、大きな揺れに耐えうることができ、耐震性に優れる。
【００９４】
［その他の実施形態］
以上、本発明の実施形態を説明したが、これらの実施形態は、例として提示したものであり、発明の範囲を限定することは意図していない。また、例えば各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【００９５】
１Ａ、１Ａ１…エキスパンションジョイント、２ａ…一のパネル、２ａａ…複数のパネル、３ａ、３ａａ…パネル支持材、４ａ、４ａａ…パネル支持受材、５ａ…固定ボルト、６ａ…係止材、７ａ…傾斜構造部、８ａ…台座、２０ａ、２０ａａ…仕上材、２１ａ、２１ａａ…床材、２２ａ…パネルボルト挿通部、２３ａ…パネル支持ボルト、２４ａ…パネル側面部、２９ａ…隙間埋部材、３１ａ…ボルト挿通孔、４１ａ…凹部、４２ａ…第１片係止部、４３ａ…第２片係止部、４４ａ…ボルト孔、５１ａ…ボルト挿通孔、６１ａ…躯体係止材、６２ａ…中間係止材、６３ａ…躯体固定材、６４ａ…係止材固定ボルト、６５ａ…係止材固定ナット、８１…傾斜係止部、８３…タップ固定金具、８４…アンカーボルト、９１…免震構造側の躯体、９２…非免震構造側の躯体、９３、９４…パネル周辺モルタル、９５…台座下部モルタル、１０１…シール材、１０２…無収縮モルタル、６１０ａ、６２０ａ、６３０ａ…貫通孔、６１１ａ…上端部
【図１】
2020197051.tif 000003
【図２】
2020197051.tif 000004
【図３】
2020197051.tif 000005
【図４】
2020197051.tif 000006
【図５】
2020197051.tif 000007
【図６】
2020197051.tif 000008
【図７】
2020197051.tif 000009
【図８】
2020197051.tif 000010